(57)【要約】【課題】商品の識別情報を入力することに対する負荷を軽減し、入力ミスの可能性を低下させ、比較的小さな店舗においても仮想試着を可能とし、かつ同時に利用できる顧客の数をなるべく多くする。【解決手段】携帯端末装置５０は、撮像するための撮影部１０６と、メモリ１１６と、ＲＦＩＤ読取部１０４と、表示部１１２と、中央制御部１１８とを含む。メモリ１１６は、撮影部１０６が撮像したユーザの像を示すユーザ画像データを記憶する。ＲＦＩＤ読取部１０４は、商品の識別情報を受信する。表示部１１２は、商品の画像とユーザの像とを組み合わせた合成画像を表示する。中央制御部１１８は、ユーザ画像データを基に、合成画像を示す合成画像データを取得する。中央制御部１１８は、合成画像データに基づいて合成画像を表示するように表示部１１２を制御する。【選択図】図２
2008210223.tif 000002
【特許請求の範囲】
【請求項１】
商品に付けられる発信器と、携帯端末装置と、サーバとを含む仮想試着システムであって、
前記発信器は、
前記商品の識別情報を記憶するための記憶手段と、
前記識別情報を送信するための送信手段とを含み、
前記携帯端末装置は、
撮像するための撮像手段と、
前記撮像手段が撮像したユーザの像を示すユーザ画像データを記憶するための記憶手段と、
前記識別情報を前記発信器から受信するための識別情報受信手段と、
前記商品の画像と前記ユーザの像とを組み合わせた合成画像を示す合成画像データ、前記ユーザ画像データ、および前記識別情報を前記サーバと通信するための通信手段と、
前記合成画像を表示するための表示手段と、
前記表示手段を制御するための制御手段とを含み、
前記制御手段は、
前記識別情報および前記ユーザ画像データを前記サーバへ送信するように前記通信手段を制御するための送信制御手段と、
前記通信手段が前記合成画像データを前記サーバから受信すると、前記合成画像データを記憶するように前記記憶手段を制御するための記憶制御手段と、
前記記憶手段が記憶した前記合成画像データに基づいて前記合成画像を表示するように前記表示手段を制御するための画像表示制御手段とを含み、
前記サーバは、
前記商品の画像を示す商品画像データを前記識別情報に対応付けて記憶するための記憶手段と、
前記合成画像データ、前記ユーザ画像データ、および前記識別情報を前記携帯端末装置と通信するための通信手段と、
前記通信手段を制御するための制御手段とを含み、
前記制御手段は、
前記通信手段が受信した前記識別情報に対応する前記商品画像データと前記ユーザ画像データとに基づいて、前記合成画像データを作成するための作成手段と、
前記合成画像データを前記携帯端末装置に送信するように前記通信手段を制御するための送信制御手段とを含む、仮想試着システム。
【請求項２】
前記携帯端末装置の前記通信手段は、前記合成画像データ、前記ユーザ画像データ、および前記識別情報に加え、前記商品の在庫状況を示す在庫情報を通信するための手段を含み、
前記携帯端末装置の表示手段は、前記合成画像に加え、前記在庫情報を表示するための手段を含み、
前記携帯端末装置の制御手段は、前記在庫情報を表示するように前記表示手段を制御するための在庫表示制御手段をさらに含み、
前記サーバの通信手段は、前記合成画像データ、前記ユーザ画像データ、および前記識別情報に加え、前記在庫情報を通信するための手段を含み、
前記サーバの記憶手段は、前記商品画像データに加え、前記在庫情報を前記識別情報に対応付けて記憶するための手段を含み、
前記サーバの送信制御手段は、前記合成画像データに加え、前記通信手段が受信した前記識別情報に対応する前記在庫情報を送信するように前記通信手段を制御するための手段を含む、請求項１に記載の仮想試着システム。
【請求項３】
前記携帯端末装置は、前記ユーザの体形を示す体形情報の入力を受付けるための受付手段をさらに含み、
前記携帯端末装置の記憶手段は、前記ユーザ画像データに加え、前記体形情報を記憶するための手段を含み、
前記携帯端末装置の通信手段は、前記合成画像データ、前記ユーザ画像データ、前記識別情報、および前記在庫情報に加え、前記体形情報を通信するための手段を含み、
前記サーバの記憶手段は、前記商品のサイズ別の在庫状況を示す前記在庫情報を前記識別情報に対応付けて記憶するための手段を含み、
前記サーバの制御手段は、前記体形情報に対応する前記商品のサイズを選択するためのサイズ選択手段をさらに含み、
前記サーバの送信制御手段は、前記サイズ選択手段が選択したサイズの前記商品についての在庫状況を示す情報を送信するように前記通信手段を制御するための手段を含む、請求項２に記載の仮想試着システム。
【請求項４】
撮像するための撮像手段と、
前記撮像手段が撮像したユーザの像を示すユーザ画像データを記憶するための記憶手段と、
商品の識別情報を受信するための識別情報受信手段と、
前記商品の画像と前記ユーザの像とを組み合わせた合成画像を表示するための表示手段と、
前記表示手段を制御するための制御手段とを含み、
前記制御手段は、
前記ユーザ画像データを基に、前記合成画像を示す合成画像データを取得するための取得手段と、
前記合成画像データに基づいて前記合成画像を表示するように前記表示手段を制御するための画像表示制御手段とを含む、携帯端末装置。
【請求項５】
前記記憶手段は、前記ユーザ画像データに加え、前記合成画像を示す合成画像データを記憶するための手段を含み、
前記携帯端末装置は、前記合成画像データ、前記ユーザ画像データ、および前記識別情報を通信するための通信手段をさらに含み、
前記取得手段は、
前記識別情報および前記ユーザ画像データを送信するように前記通信手段を制御するための送信制御手段と、
前記識別情報および前記ユーザ画像データの送信先から前記合成画像データを前記通信手段が受信すると、前記合成画像データを記憶するように前記記憶手段を制御するための記憶制御手段とを含み、
前記画像表示制御手段は、前記記憶手段が記憶した前記合成画像データに基づいて前記合成画像を表示するように前記表示手段を制御するための手段を含む、請求項４に記載の携帯端末装置。
【請求項６】
前記識別情報受信手段は、前記識別情報に加え、前記識別情報と前記ユーザ画像データとの送信先を示す送信先情報を受信するための手段を含み、
前記送信制御手段は、前記識別情報および前記ユーザ画像データを前記送信先情報を用いて送信するように前記通信手段を制御するための手段を含む、請求項５に記載の携帯端末装置。
【請求項７】
前記識別情報受信手段は、前記商品の識別情報に加え、前記商品の画像を示す商品画像データを受信するための手段を含み、
前記取得手段は、
前記ユーザ画像データと前記商品画像データとに基づいて、前記合成画像データを作成するための作成手段と、
前記合成画像データを記憶するように前記記憶手段を制御するための記憶制御手段とを含み、
前記画像表示制御手段は、前記記憶手段が記憶した前記合成画像データに基づいて前記合成画像を表示するように前記表示手段を制御するための手段を含む、請求項４に記載の携帯端末装置。
【請求項８】
前記作成手段は、
前記ユーザの像における前記ユーザの身体の少なくとも一部の位置に基づいて、前記ユーザの像のうち前記合成画像に含まれる部分である選択部分を選択するための選択手段と、
前記選択部分と前記商品の画像の一部とを含む画像を示すように、前記合成画像データを作成するための合成画像データ作成手段とを含む、請求項７に記載の携帯端末装置。
【発明の詳細な説明】
【技術分野】
【０００１】
本発明は、仮想試着システムおよび携帯端末装置に関し、特に、既製服の画像を用いて編集する仮想試着システムおよび携帯端末装置に関する。
【背景技術】
【０００２】
特許文献１は、既製服を仮想試着して販売するための装置を開示する。この装置は、衣服情報入手モジュールと、記憶モジュールと、衣服表示モジュールと、衣服選択モジュールと、体型入力モジュールと、仮想試着表示モジュールと、仮想試着補正モジュールと、注文モジュールとを有する。衣服情報入手モジュールは、既製服を製造する複数のアパレルメーカーが作成した既製服の仮想試着を可能とする衣服構成情報を通信網を介して入手する。記憶モジュールは、衣服情報入手モジュールにより入手した衣服構成情報を記憶する。衣服表示モジュールは、記憶モジュールに記憶された衣服構成情報を分類して表示する。衣服選択モジュールは、衣服表示モジュールにより表示された衣服構成情報を選択する。体型入力モジュールは、顧客の体型情報を入力する。仮想試着表示モジュールは、体型入力モジュールにより入力された顧客の体型に応じて作成された仮想モデルに、衣服選択モジュールにより選択された衣服構成情報に応じた仮想試着衣服を仮想試着させて表示する。仮想試着補正モジュールは、仮想試着表示モジュールに表示された仮想試着衣服を顧客の体型に応じて作成された仮想モデルに応じて補正する。注文モジュールは、仮想試着補正モジュールにより補正された仮想試着衣服に応じた既製服を通信網を介してアパレルメーカーに注文する。
【０００３】
特許文献１に開示された発明によると、顧客の体型情報に応じて顧客が選択した衣服を仮想試着させて表示できる。
【０００４】
特許文献２は、試着サービスを提供するコンピュータからなる試着サービス提供装置と、撮像カメラを具備する顧客コンピュータとが、ネットワークを介して接続される試着システムを開示する。このシステムにおいて、試着サービス提供装置は、次の動作を実施する。第１の動作は、試着対象となる商品の画像を記憶する動作である。第２の動作は、試着対象となる商品情報を顧客コンピュータへ送信する動作である。第３の動作は、顧客コンピュータから受信した顧客映像と顧客が選択した商品の画像とを合成する動作である。第４の動作は、合成した映像を顧客コンピュータへ送信する動作である。顧客コンピュータは、次の動作を実施する。第１の動作は、試着サービス提供装置から受信した商品情報を表示する動作である。第２の動作は、商品の選択情報を試着サービス提供装置へ送信する動作である。第３の動作は、撮像カメラで撮影した顧客映像を試着サービス提供装置へ送信する動作である。第４の動作は、試着サービス提供装置から受信した顧客映像と商品の画像との合成映像を表示する動作である。
【０００５】
特許文献２に開示された発明によると、インターネットを介した電子商取引において、顧客が実際に店頭で商品を試着しているかのように商品着用のイメージを捉えることができ、かつ販売側のオペレータから映像や音声で推奨やアドバイスを受けることができる。
【特許文献１】特開２００２−１１７２５２号公報
【特許文献２】特開２００４−３０２１９号公報
【発明の開示】
【発明が解決しようとする課題】
【０００６】
しかし、特許文献１に開示された発明では、体型情報から算出された二次元あるいは三次元モデルのコンピュータグラフィックスと既製服との合成画像が表示されるのみなので、顧客にその既製服が似合うか否かについての判断材料が不足する可能性があるという問題点がある。
【０００７】
特許文献２に開示された発明では、次に述べる問題点がある。
第１の問題点は、店舗販売（実際の商品を店舗で顧客に見せてその商品を販売すること）には適用し難いという問題点である。特許文献２に開示された発明を店舗販売に適用しようとすると、商品の識別情報を入力する際に入力ミスが発生しやすくなる上、その入力の負担を顧客に強いることとなる。入力ミスが発生しやすいのは、識別情報が意味を持たない文字列であることが多いためである。インターネットを介した電子商取引により商品を購入する場合と異なり、顧客が店舗で商品を見た時点でその商品について在庫などを調べる場合には、商品映像を選択してクリックするなどの指定方法が適用できない。これらが、特許文献２に開示された発明を店舗販売に適用し難い理由である。
【０００８】
第２の問題点は、この発明に係るシステムの規模が大きいため、デパートなどの大きな販売店でなければ利用が困難と考えられるという問題点である。
【０００９】
第３の問題点は、この発明に係るシステムを多数の顧客が同時に利用したいと考えても、店舗に備えつけられたマシンの台数によって同時に利用できる顧客の数が制限されるという問題点である。
【００１０】
本発明は上述の問題点を解決するためになされたものであって、その目的は、商品の識別情報を入力することに対する負荷を軽減し、入力ミスの可能性を低下させ、比較的小さな店舗においても仮想試着を可能とし、かつ同時に利用できる顧客の数をなるべく多くすることができる携帯端末装置を提供することにある。
【課題を解決するための手段】
【００１１】
上記目的を達成するために、本発明のある局面に従うと、仮想試着システムは、商品に付けられる発信器と、携帯端末装置と、サーバとを含む。発信器は、記憶手段と、送信手段とを含む。記憶手段は、商品の識別情報を記憶する。送信手段は、識別情報を送信する。携帯端末装置は、撮像するための撮像手段と、記憶手段と、識別情報受信手段と、通信手段と、表示手段と、制御手段とを含む。記憶手段は、撮像手段が撮像したユーザの像を示すユーザ画像データを記憶する。識別情報受信手段は、識別情報を発信器から受信する。通信手段は、合成画像を示す合成画像データ、ユーザ画像データ、および識別情報をサーバと通信する。合成画像は、商品の画像とユーザの像とを組み合わせた画像である。表示手段は、合成画像を表示する。制御手段は、表示手段を制御する。携帯端末装置の制御手段は、送信制御手段と、記憶制御手段と、画像表示制御手段とを含む。送信制御手段は、識別情報およびユーザ画像データをサーバへ送信するように通信手段を制御する。記憶制御手段は、通信手段が合成画像データをサーバから受信すると、合成画像データを記憶するように記憶手段を制御する。画像表示制御手段は、記憶手段が記憶した合成画像データに基づいて合成画像を表示するように表示手段を制御する。サーバは、記憶手段と、通信手段と、制御手段とを含む。記憶手段は、商品の画像を示す商品画像データを識別情報に対応付けて記憶する。通信手段は、合成画像データ、ユーザ画像データ、および識別情報を携帯端末装置と通信する。制御手段は、通信手段を制御する。サーバの制御手段は、作成手段と、送信制御手段とを含む。作成手段は、通信手段が受信した識別情報に対応する商品画像データとユーザ画像データとに基づいて、合成画像データを作成する。送信制御手段は、合成画像データを携帯端末装置に送信するように通信手段を制御する。
【００１２】
また、上述の携帯端末装置の通信手段は、合成画像データ、ユーザ画像データ、および識別情報に加え、商品の在庫状況を示す在庫情報を通信するための手段を含むことが望ましい。併せて、携帯端末装置の表示手段は、合成画像に加え、在庫情報を表示するための手段を含むことが望ましい。併せて、携帯端末装置の制御手段は、在庫表示制御手段をさらに含むことが望ましい。在庫表示制御手段は、在庫情報を表示するように表示手段を制御する。併せて、サーバの通信手段は、合成画像データ、ユーザ画像データ、および識別情報に加え、在庫情報を通信するための手段を含むことが望ましい。併せて、サーバの記憶手段は、商品画像データに加え、在庫情報を識別情報に対応付けて記憶するための手段を含むことが望ましい。併せて、サーバの送信制御手段は、合成画像データに加え、通信手段が受信した識別情報に対応する在庫情報を送信するように通信手段を制御するための手段を含むことが望ましい。
【００１３】
もしくは、上述の携帯端末装置は、受付手段をさらに含むことが望ましい。受付手段は、ユーザの体形を示す体形情報の入力を受付ける。併せて、携帯端末装置の記憶手段は、ユーザ画像データに加え、体形情報を記憶するための手段を含むことが望ましい。併せて、携帯端末装置の通信手段は、合成画像データ、ユーザ画像データ、識別情報、および在庫情報に加え、体形情報を通信するための手段を含むことが望ましい。併せて、サーバの記憶手段は、商品のサイズ別の在庫状況を示す在庫情報を識別情報に対応付けて記憶するための手段を含むことが望ましい。併せて、サーバの制御手段は、サイズ選択手段をさらに含むことが望ましい。サイズ選択手段は、体形情報に対応する商品のサイズを選択する。併せて、サーバの送信制御手段は、サイズ選択手段が選択したサイズの商品についての在庫状況を示す情報を送信するように通信手段を制御するための手段を含むことが望ましい。
【００１４】
本発明の他の局面に従うと、携帯端末装置は、撮像するための撮像手段と、記憶手段と、識別情報受信手段と、表示手段と、制御手段とを含む。記憶手段は、撮像手段が撮像したユーザの像を示すユーザ画像データを記憶する。識別情報受信手段は、商品の識別情報を受信する。表示手段は、商品の画像とユーザの像とを組み合わせた合成画像を表示する。制御手段は、表示手段を制御する。制御手段は、取得手段と、画像表示制御手段とを含む。取得手段は、ユーザ画像データを基に、合成画像を示す合成画像データを取得する。画像表示制御手段は、合成画像データに基づいて合成画像を表示するように表示手段を制御する。
【００１５】
また、上述の記憶手段は、ユーザ画像データに加え、合成画像を示す合成画像データを記憶するための手段を含むことが望ましい。併せて、携帯端末装置は、通信手段をさらに含むことが望ましい。通信手段は、合成画像データ、ユーザ画像データ、および識別情報を通信する。併せて、取得手段は、送信制御手段と、記憶制御手段とを含むことが望ましい。送信制御手段は、識別情報およびユーザ画像データを送信するように通信手段を制御する。記憶制御手段は、識別情報およびユーザ画像データの送信先から合成画像データを通信手段が受信すると、合成画像データを記憶するように記憶手段を制御する。併せて、画像表示制御手段は、記憶手段が記憶した合成画像データに基づいて合成画像を表示するように表示手段を制御するための手段を含むことが望ましい。
【００１６】
もしくは、上述の識別情報受信手段は、識別情報に加え、送信先情報を受信するための手段を含むことが望ましい。送信先情報は、識別情報とユーザ画像データとの送信先を示す情報である。併せて、送信制御手段は、識別情報およびユーザ画像データを送信先情報を用いて送信するように通信手段を制御するための手段を含むことが望ましい。
【００１７】
また、上述の識別情報受信手段は、商品の識別情報に加え、商品の画像を示す商品画像データを受信するための手段を含むことが望ましい。併せて、取得手段は、作成手段と、記憶制御手段とを含むことが望ましい。作成手段は、ユーザ画像データと商品画像データとに基づいて、合成画像データを作成する。記憶制御手段は、合成画像データを記憶するように記憶手段を制御する。併せて、画像表示制御手段は、記憶手段が記憶した合成画像データに基づいて合成画像を表示するように表示手段を制御するための手段を含むことが望ましい。
【００１８】
もしくは、上述の作成手段は、選択手段と、合成画像データ作成手段とを含むことが望ましい。選択手段は、ユーザの像におけるユーザの身体の少なくとも一部の位置に基づいて、ユーザの像のうち合成画像に含まれる部分である選択部分を選択する。合成画像データ作成手段は、選択部分と商品の画像の一部とを含む画像を示すように、合成画像データを作成する。
【発明の効果】
【００１９】
本発明に係る携帯端末装置は、商品の識別情報の入力や顧客の体型情報などの入力の負荷を軽減し、入力ミスの可能性を低下させ、比較的小さな店舗においても仮想試着を可能とし、かつ同時に利用できる顧客の数をなるべく多くすることができる。
【発明を実施するための最良の形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
<第１の実施の形態>
以下、本発明の第１の実施の形態に係る携帯端末装置および仮想試着システムについて説明する。
【００２２】
図１は、本実施の形態に係る仮想試着システムの構成を示す図である。図１を参照して、本実施の形態に係る仮想試着システムは、顧客９０が所有する携帯端末装置５０と、店舗７０にて展示されている商品８０に付けられているＲＦＩＤ（Radio frequency identification）タグ５２と、サーバ５４とを含む。サーバ５４は、ビル７２に設置されている。ビル７２には、本実施の形態に係る仮想試着サービスを提供する企業が入居している。
【００２３】
携帯端末装置５０は、次の役割を担当する装置である。
第１の役割は、ＲＦＩＤタグ５２から商品８０の識別情報その他の情報を受信する役割である。
【００２４】
第２の役割は、予め記憶した顧客９０の画像データやＲＦＩＤタグ５２から受信した商品８０の識別情報などをサーバ５４に宛てて送信する役割である。
【００２５】
第３の役割は、サーバ５４から受信したデータに基づき、仮想合成の結果を表示する役割である。
【００２６】
第４の役割は、図示しない携帯端末装置との間でアクセスポイント６０を介して通信する役割である。携帯端末装置５０の顧客９０は、その通信により、前述した図示しない携帯端末装置のユーザとの間で通話することができる。このため、本実施の形態に係る携帯端末装置５０は、携帯可能な電話機であるとも言える。
【００２７】
ＲＦＩＤタグ５２は、商品８０の識別情報その他の情報を記憶し、それらの情報を携帯端末装置５０に送信する発信器である。
【００２８】
サーバ５４は、アクセスポイント６０およびインターネット６２を介して携帯端末装置５０から顧客９０の画像を示すユーザ画像データなどを受信し、仮想試着処理を実施する。
【００２９】
図２は、本実施の形態に係る携帯端末装置５０の構成を示す図である。図２を参照して、携帯端末装置５０は、送信部１００と、受信部１０２と、ＲＦＩＤ読取部１０４と、撮影部１０６と、画像処理部１０８と、表示ドライバ１１０と、表示部１１２と、キー入力部１１４と、メモリ１１６と、中央制御部１１８とを含む。
【００３０】
送信部１００は、アクセスポイント６０およびインターネット６２を介して図示しない携帯電話に情報を送信するユニットである。本実施の形態の場合、送信部１００は、インターネットプロトコルに従って情報を送信することとする。送信される情報には、通話のための音声情報も含まれる。このため、本実施の形態の場合、アクセスポイント６０も、インターネットプロトコルに従って情報を通信する。
【００３１】
受信部１０２は、アクセスポイント６０およびインターネット６２を介して図示しない携帯電話から情報を受信するユニットである。本実施の形態の場合、受信部１０２は、インターネットプロトコルに従って情報を受信することとする。受信される情報には、通話のための音声情報も含まれる。
【００３２】
ＲＦＩＤ読取部１０４は、ＲＦＩＤタグ５２に電力を供給すると共に、そのＲＦＩＤタグ５２から識別情報などの情報を受信するユニットである。
【００３３】
撮影部１０６は、携帯端末装置５０のユーザである顧客９０の像などを撮影し、撮影された像を示す電気信号に変換し、その信号を出力するユニットである。出力される信号は、画像データを示す信号として出力される。
【００３４】
画像処理部１０８は、撮影部１０６が信号として出力した画像データを圧縮してメモリ１１６に記憶させるユニットである。
【００３５】
表示ドライバ１１０は、メモリ１１６に記憶されたデータを元の画像データに復元するユニットである。表示ドライバ１１０は、自らが復元した画像データが示す画像や中央制御部１６２が指示した情報を表示するように表示部１１２を直接制御するユニットでもある。
【００３６】
表示部１１２は、画像を表示するユニットである。
キー入力部１１４は、顧客９０の操作に応じた信号を生成することにより、顧客９０の入力を受付けるユニットである。本実施の形態の場合、顧客９０は、顧客９０自身の体形を示す体形情報や、商品８０や商品８０と同型であってサイズが異なる商品の在庫状況を示す在庫情報の表示を要求する指令などを入力する。
【００３７】
メモリ１１６は、画像処理部１０８が圧縮したデータなどの情報を記憶するユニットである。
【００３８】
中央制御部１１８は、携帯端末装置５０を構成する各ユニットを制御するユニットである。中央制御部１１８は、その制御のために必要な演算を実施するユニットでもある。
【００３９】
図３は、中央制御部１１８が担当する機能を示す機能ブロック図である。図３を参照して、中央制御部１１８が担当する機能は、取得部１１８０と、通話制御部１１８２と、情報制御部１１８４と、ＲＦＩＤ制御部１１８６と、画像表示制御部１１８８と、在庫表示制御部１１９０とを含む。
【００４０】
取得部１１８０は、ユーザ画像データを基に、合成画像を示す合成画像データを取得する機能である。本実施の形態の場合、合成画像とは、顧客９０の画像と商品８０の画像とを組み合わせた画像を意味する。
【００４１】
通話制御部１１８２は、携帯端末装置５０が電話機として動作するよう、送信部１００と受信部１０２とを制御する機能である。
【００４２】
情報制御部１１８４は、携帯端末装置５０を構成する各ユニットの間での情報の伝達を制御する機能である。
【００４３】
ＲＦＩＤ制御部１１８６は、ＲＦＩＤタグ５２から情報を受信するよう、ＲＦＩＤ読取部１０４を制御する機能である。
【００４４】
画像表示制御部１１８８は、合成画像データに基づいて合成画像を表示するように、表示ドライバ１１０を介して間接的に表示部１１２を制御する機能である。
【００４５】
在庫表示制御部１１９０は、在庫情報を表示するように、表示ドライバ１１０を介して間接的に表示部１１２を制御する機能である。
【００４６】
取得部１１８０は、送信制御部１２００と、記憶制御部１２０２とを含む。
送信制御部１２００は、識別情報およびユーザ画像データを送信するように送信部１００を制御する機能である。
【００４７】
記憶制御部１２０２は、サーバ５４から合成画像データを受信部１０２が受信すると、合成画像データを記憶するようにメモリ１１６を制御する機能である。
【００４８】
図４は、ＲＦＩＤタグ５２の構成を表わす図である。ここに示したＲＦＩＤタグ５２は、信号重畳方式の非接触型のＩＣタグであり、ＲＦＩＤ読取部１０４から受ける１つ、または２つ以上の周波数の信号を使用して、電力の供給と情報の送受信とを行なう。
【００４９】
図４を参照して、ＲＦＩＤタグ５２は、メモリ１３０と、制御回路１３２と、同調回路１３４と、整流回路１３６と、復調回路１３８と、変調回路１４０と、ＳＰ／ＰＳ変換回路１４２とを含む。
【００５０】
メモリ１３０は情報を記憶する。本実施の形態においてメモリ１３０に記憶される情報は、ＲＦＩＤタグ５２自身の識別情報と、商品８０の識別情報と、サーバ５４のＵＲＬ（Uniform Resource Locator）を示す情報と、商品８０の画像データとである。このときメモリ１３０に記憶される画像データは、メモリ１３０の容量に関する制限を考慮し、ファイルサイズの小さい、低解像度のデータであることが望ましい。
【００５１】
制御回路１３２は、ＳＰ／ＰＳ変換回路１４２から出力された信号を処理する。また、制御回路１３２は、ＲＦＩＤ読取部１０４から信号を受信すると、メモリ１３０から情報を読み出し、これに基づき返答のための情報を生成する。これらの処理により、制御回路１３２は、メモリ１３０および同調回路１３４を制御することとなる。
【００５２】
同調回路１３４は、ＲＦＩＤ読取部１０４と電波により通信する。同調回路１３４は、アンテナとして機能するコイルとコンデンサとを含む。
【００５３】
整流回路１３６は、同調回路１３４で電波として受信した信号を整流して、電力を生成し、ＲＦＩＤタグ５２の各部に供給する。
【００５４】
復調回路１３８は、ＲＦＩＤ読取部１０４からの同調回路１３４で受信した信号を増幅して復調する。
【００５５】
変調回路１４０は、ＳＰ／ＰＳ変換回路１４２でＰＳ（パラレル−シリアル）変換された信号を増幅して、変調する。変調された信号は、同調回路１３４からＲＦＩＤ読取部１０４に送信される。
【００５６】
ＳＰ／ＰＳ変換回路１４２は、復調回路１３８から出力される信号をＳＰ（シリアル−パラレル）変換する。ＳＰ／ＰＳ変換回路１４２は、制御回路１３２から出力された信号をＰＳ変換する回路でもある。
【００５７】
図５は、サーバ５４の構成を示す図である。図５を参照して、サーバ５４は、送信部１５０と、受信部１５２と、画像処理部１５４と、検索処理部１５６と、データベース記録部１５８と、メモリ１６０と、中央制御部１６２とを含む。
【００５８】
送信部１５０は、アクセスポイント６０およびインターネット６２を介して携帯端末装置５０に情報を送信するユニットである。
【００５９】
受信部１５２は、アクセスポイント６０およびインターネット６２を介して携帯端末装置５０から情報を受信するユニットである。
【００６０】
画像処理部１５４は、携帯端末装置５０から受信した画像データとデータベース記録部１５８に記録された画像データとに基づいて、画像を合成するユニットである。
【００６１】
検索処理部１５６は、データベース記録部１５８に記録されたデータベースを検索するユニットである。
【００６２】
データベース記録部１５８は、データベースを記録するユニットである。本実施の形態の場合、データベース記録部１５８に記録されているデータベースは、商品画像データベース１７０および在庫情報データベース１７２である。
【００６３】
商品画像データベース１７０は、商品の画像を示す画像データとその商品の識別情報とを対応付けて含むデータベースである。本実施の形態の場合、この画像データは、ＲＦＩＤタグ５２が記憶する画像データよりも解像度が高い。
【００６４】
在庫情報データベース１７２は、商品のサイズ別の在庫状況を示す在庫情報とその商品の識別情報とを対応付けて含むデータベースである。
【００６５】
メモリ１６０は、送信部１５０が送信する予定のデータや受信部１５２が受信したデータを一時的に記憶するユニットである。
【００６６】
中央制御部１６２は、サーバ５４を構成する各ユニットを制御するユニットである。中央制御部１６２は、その制御のために必要な演算を実施するユニットでもある。
【００６７】
本実施の形態の場合、画像処理部１５４と、検索処理部１５６と、中央制御部１６２とは、１つの制御ブロックを構成する。図５から明らかなように、本実施の形態の場合、この制御ブロックは複数のユニットによって実現されているが、１つのＣＰＵ（Central Processing Unit）などによって実現されてもよい。
【００６８】
図６は、本実施の形態にかかる制御ブロックが担当する機能を示す機能ブロック図である。図６を参照して、本実施の形態にかかる制御ブロックが担当する機能は、作成部１６２０と、送信制御部１６２２と、情報制御部１６２４と、サイズ選択部１６２６と、情報検索部１６２８とを含む。
【００６９】
作成部１６２０は、受信部１５２が受信したユーザ画像データと商品画像データとに基づいて、合成画像を作成する機能である。この商品画像データは、受信部１５２が受信した識別情報に対応する、商品画像データベース１７０に含まれた画像データである。
【００７０】
送信制御部１６２２は、合成画像データを携帯端末装置５０に送信するように送信部１００を制御する機能である。
【００７１】
情報制御部１６２４は、サーバ５４を構成する各ユニットの間での情報の伝達を制御する機能である。
【００７２】
サイズ選択部１６２６は、受信部１５２が受信した体形情報に対応する、商品のサイズを選択する機能である。
【００７３】
情報検索部１６２８は、データベース記録部１５８に記録されたデータベースの情報を検索する機能である。
【００７４】
作成部１６２０は、部分選択部１６３０と、合成画像データ作成部１６３２とを含む。
部分選択部１６３０は、選択部分を選択する機能である。本実施の形態の場合、選択部分とは、顧客９０の像のうち合成画像に含まれる部分を意味する。部分選択部１６３０は、顧客９０の像におけるその身体の少なくとも一部を表わす部分の位置に基づいて、選択部分を選択する機能である。
【００７５】
合成画像データ作成部１６３２は、合成画像データを作成する機能である。合成画像データ作成部１６３２が作成する合成画像データは、選択部分と商品の画像の一部とを含む合成画像を示す。
【００７６】
図７を参照して、携帯端末装置５０で実行されるプログラムは、情報の表示に関し、以下のような制御を実行する。
【００７７】
ステップＳ２００にて、顧客９０は、自らの体型を示す体形情報を携帯端末装置５０のキー入力部１１４に入力する。キー入力部１１４は、体形情報を示す信号を生成する。キー入力部１１４は、その信号を中央制御部１１８に出力する。情報制御部１１８４として動作する中央制御部１１８は、その信号が示す体形情報をメモリ１１６に記憶させる。
【００７８】
ステップＳ２０２にて、顧客９０は、撮影を命じる旨の情報をキー入力部１１４に入力する。キー入力部１１４は、中央制御部１１８にその情報を出力する。情報制御部１１８４として動作する中央制御部１１８は、その情報が出力されると、撮影部１０６を制御する。撮影部１０６は、中央制御部１１８の制御に従い、撮影を実施する。撮影の際、撮影部１０６が撮影しようとする空間内に所定のポーズをとった顧客９０がいることで、出力された画像データは顧客９０の像を示すこととなる。撮影の終了後、撮影部１０６は撮影によって得られたユーザの像を示す画像データを中央制御部１１８に出力する。情報制御部１１８４として動作する中央制御部１１８は、その画像データをメモリ１１６に記憶させる。
【００７９】
ステップＳ２０４にて、ＲＦＩＤ読取部１０４は、ＲＦＩＤタグ５２から識別情報などの情報を受信する。本実施の形態の場合、ＲＦＩＤ読取部１０４は電波を常時放射している。ＲＦＩＤタグ５２の整流回路１３６は、同調回路１３４がＲＦＩＤ読取部１０４から受信した電波を整流して電力を生成する。生成された電力は、ＲＦＩＤタグ５２の各部に供給される。電力が供給されると、制御回路１３２は、メモリ１３０から識別情報などの情報を読み出す。読み出された情報は、制御回路１３２によりＳＰ／ＰＳ変換回路１４２に信号として出力される。ＳＰ／ＰＳ変換回路１４２は、制御回路１３２から出力された信号をＰＳ変換する。ＰＳ変換された信号は、変調回路１４０に出力される。変調回路１４０は、ＳＰ／ＰＳ変換回路１４２でＰＳ変換された信号を増幅し、その後変調する。変調された信号は、同調回路１３４からＲＦＩＤ読取部１０４に送信される。ＲＦＩＤ読取部１０４が受信する情報は、同調回路１３４から送信された信号によって示される情報である。
【００８０】
ステップＳ２０６にて、送信制御部１２００として動作する中央制御部１１８は、表示ドライバ１１０に制御信号を出力する。制御信号が出力されると、表示ドライバ１１０は表示部１１２を制御する。この制御に応じて、表示部１１２は、商品に関する情報と、仮想試着を行うか否かを顧客９０に尋ねるためのメッセージとを表示する。
【００８１】
ステップＳ２０８にて、送信制御部１２００として動作する中央制御部１１８は、顧客９０がキー入力部１１４を操作することにより入力した、仮想試着を行うか否かの回答を示す情報に基づき、仮想試着を行うか否かを判断する。仮想試着を行うと判断した場合には（ステップＳ２０８にてＹＥＳ）、処理はステップＳ２１０へと移される。もしそうでないと（ステップＳ２０８にてＮＯ）、処理は終了する。
【００８２】
ステップＳ２１０にて、送信制御部１２００として動作する中央制御部１１８は、メモリ１１６が記憶した情報を読み出す。読み出される情報は、ステップＳ２０４にてＲＦＩＤタグ５２から取得した識別情報と、ステップＳ２００においてメモリ１１６が記憶した顧客９０の体型情報と、ステップＳ２０２においてメモリ１１６が記憶した顧客９０の画像データとである。情報が読み出されると、送信制御部１２００として動作する中央制御部１１８は、読み出された情報を送信部１００に出力する。送信部１００は、それらの情報を示す信号をアクセスポイント６０に送信する。それらの情報の宛先は、サーバ５４である。宛先がサーバ５４なので、それらの情報は、インターネット６２を介してサーバ５４に送信される。
【００８３】
ステップＳ２１２にて、受信部１０２は、サーバ５４が返信した情報を信号として受信する。受信される情報は、顧客９０の画像と商品画像とを合成した画像を示す合成画像データと、顧客９０に適した商品のサイズを示す情報と、在庫情報とである。この在庫情報には、商品８０の在庫状況を示す情報のみでなく、顧客９０に適したサイズであって商品８０と同型の商品の在庫状況を示す情報も含まれる。受信した情報は、中央制御部１１８に出力される。記憶制御部１２０２として動作する中央制御部１１８は、受信部１０２が受信した情報をメモリ１１６に記憶させる。
【００８４】
ステップＳ２１４にて、画像表示制御部１１８８として動作する中央制御部１１８は、表示ドライバ１１０に制御信号を出力する。制御信号が出力されると、表示ドライバ１１０は表示部１１２を制御する。この制御に応じて、表示部１１２は、顧客９０に適したサイズであって商品８０と同型の商品の在庫状況を示す情報などと、合成画像データが示す画像とを表示する。
【００８５】
図８を参照して、サーバ５４で実行されるプログラムは、仮想試着に関し、以下のような制御を実行する。
【００８６】
ステップＳ２２０にて、受信部１５２は、携帯端末装置５０が送信した情報を信号として受信する。受信する情報は、商品８０の識別情報と、顧客９０の体型情報と、顧客９０の画像データとである。受信した情報は、中央制御部１６２に出力される。情報制御部１６２４として動作する中央制御部１６２は、受信部１５２が受信した情報をメモリ１６０に記憶させる。
【００８７】
ステップＳ２２２にて、情報検索部１６２８として動作する検索処理部１５６は、受信部１５２が受信し、かつメモリ１６０に記憶された情報のうち、商品８０の識別情報をメモリ１６０から読み出す。識別情報が読み出されると、検索処理部１５６は、商品画像データベース１７０に含まれる画像データのうちその識別情報に対応するデータを検索する。検索処理部１５６は、検索ステップＳ２２０にて受信部１５２が受信した識別情報に対応する商品の画像データをメモリ１６０に複写する。
【００８８】
ステップＳ２２４にて、作成部１６２０として動作する画像処理部１５４と中央制御部１６２とは、合成画像を作成する。この処理は、図９に示す処理に相当する。
【００８９】
ステップＳ２２６にて、サイズ選択部１６２６として動作する検索処理部１５６は、ステップＳ２２０にて受信部１５２が受信した情報のうち顧客９０の体形情報を読み出す。体形情報が読み出されると、検索処理部１５６は、その体形情報に基づいて顧客９０に合った商品のサイズを選択する。選択のための方法は特に限定されるものではないが、本実施の形態の場合、商品ごとに定められた身体の各部の許容範囲に体形情報が示す顧客９０の身体の寸法が含まれるよう、商品のサイズが選択されることとする。顧客９０に合った商品のサイズが選択されると、情報検索部１６２８として動作する検索処理部１５６は、在庫情報データベース１７２に含まれる在庫状況の情報のうちそのサイズに対応する情報を検索する。情報が検索されると、検索処理部１５６は、顧客９０に合った商品の在庫状況の情報を含む在庫情報を、情報検索部１６２８として動作する中央制御部１６２に出力する。中央制御部１６２は、その在庫情報をメモリ１６０に一時的に記憶させる。
【００９０】
ステップＳ２２８にて、送信制御部１６２２として動作する中央制御部１６２は、メモリ１６０が記憶した情報を読み出す。読み出される情報は、ステップＳ２２６において選択された顧客９０のサイズを示す情報と、ステップＳ２２６においてメモリ１１６が記憶した在庫情報と、ステップＳ２２４にて作成された合成画像データとである。情報が読み出されると、送信制御部１６２２として動作する中央制御部１６２は、読み出された情報を送信部１５０に出力する。送信部１５０は、それらの情報を示す信号を送信する。それらの情報の宛先は、携帯端末装置５０である。宛先が携帯端末装置５０なので、それらの情報は、インターネット６２およびアクセスポイント６０を介して携帯端末装置５０に送信される。
【００９１】
図９を参照して、サーバ５４で実行されるプログラムは、画像の合成に関し、以下のような制御を実行する。
【００９２】
ステップＳ２２４０にて、部分選択部１６３０として動作する中央制御部１６２は、ステップＳ２２０にて受信部１５２が受信した画像データに基づいて、次に述べる位置を検出する。その位置とは、その画像データが示す顧客９０の像における、顧客９０の身体の一部の位置である。本実施の形態の場合、部分選択部１６３０として動作する中央制御部１６２は、そのような身体の一部のうち、顧客９０の首の付け根の位置を検出する。検出される位置は一方の付け根のみでもよいが、本実施の形態の場合は相対する２箇所の付け根が検出されることとする。なお、それらの付け根だけでなく、両肩の端、袖口、顔の輪郭その他の一部が検出されてもよいことは言うまでもない。中央制御部１６２は、それらの位置を座標として検出する。検出方法は特に限定されるものではないが、本実施の形態の場合、特徴点を検出するための画像認識処理を実施することにより、それらの位置は検出される。
【００９３】
ステップＳ２２４２にて、部分選択部１６３０として動作する中央制御部１６２は、ステップＳ２２４０にて検出された位置に基づいて選択部分を選択する。本実施の形態の場合、次に述べる部分以外の部分を中央制御部１６２は選択部分として選択する。その部分すなわち選択部分として選択されない部分とは、ステップＳ２２０にて受信部１５２が受信した画像データが示す画像のうち中央部分である。本実施の形態の場合、この部分の形状は等脚台形であり、その大きさは予め定められている。また、この部分の上底の中点は、顧客９０の首の付け根の座標の中点に一致する。部分選択部１６３０として動作する中央制御部１６２は、選択部分とそうでない部分との境界の頂点座標を、合成画像データ作成部１６３２として動作する画像処理部１５４に出力する。
【００９４】
ステップＳ２２４４にて、合成画像データ作成部１６３２として動作する画像処理部１５４は、ステップＳ２２０にて受信部１５２が受信した画像データをさらにメモリ１６０に複写する。ただし、新たに複写されるデータには、部分選択部１６３０として動作する中央制御部１６２によって選択されなかった部分のデータは含まれない。画像データが複写されると、合成画像データ作成部１６３２として動作する画像処理部１５４は、ステップＳ２２２にて検索処理部１５６が複写した商品の画像データに基づき、部分選択部１６３０として動作する中央制御部１６２によって選択されなかった部分のデータを作成する。この部分の画素は、ステップＳ２２２にて複写された画像データが示す画像のうち中央部分であって形状が等脚台形の部分の画素に対応する。これにより、合成画像データが作成され、かつメモリ１６０に記憶されたこととなる。
【００９５】
以上のような構造およびフローチャートに基づく、仮想試着システムの動作について説明する。
【００９６】
まず顧客９０は、自らの体型情報を予め入力する。その体形情報はメモリ１１６に記憶される（ステップＳ２００）。図１０は、ステップＳ２００において体型情報を入力する際に表示部１１２に表示される画像の一例を示したものである。
【００９７】
体形情報が記憶されると、撮影部１０６は、顧客９０を撮影する。顧客９０を示す画像データはメモリ１１６に保存され、仮想試着用の顧客９０の画像とされる（ステップＳ２０２）。ここまでが、仮想試着システムを使用するために必要な前準備となる。
【００９８】
次に、顧客９０は、既製服の販売店にて気に入った既製服のＲＦＩＤタグ５２を携帯端末装置５０を使用して読み取る。携帯端末装置５０は、読み取った情報の中から商品の画像データや識別情報などを取り出す（ステップＳ２０４）。
【００９９】
図１１は、この時にＲＦＩＤタグ５２が信号として送信するデータのフォーマットを示す図である。図１１を参照して、ＲＦＩＤタグ５２が送信するデータのフォーマットは、識別コードエリア２４０と、タグＩＤエリア２４２と、データエリア２４４とを含む。
【０１００】
識別コードエリア２４０は、ＲＦＩＤタグ５２が送信するデータのフォーマットを識別するためのエリアである。タグＩＤエリア２４２は、ＲＦＩＤタグ５２同士を識別するための識別情報を示すエリアである。データエリア２４４は、送信の対象となる情報を示すエリアである。
【０１０１】
データエリア２４４は、商品識別情報エリア２５０と、サーバＵＲＬエリア２５２と、画像データファイルエリア２５４とを含む。
【０１０２】
商品識別情報エリア２５０は、商品８０の識別情報を示すエリアである。サーバＵＲＬエリア２５２は、サーバ５４のＵＲＬを示すエリアである。この情報が含まれていることにより、顧客９０が特に難しい操作を実施しなくても、携帯端末装置５０は、サーバ５４を宛先として情報を送信することができる。画像データファイルエリア２５４は、ＲＦＩＤタグ５２が記憶していた商品８０の画像データを示すエリアである。
【０１０３】
商品の画像データや商品８０の識別情報などが取り出されると、表示部１１２は、商品に関する情報と、仮想試着を行うか否かを顧客９０に尋ねるためのメッセージとを表示する（ステップＳ２０６）。図１２は、表示部１１２に表示された、商品に関する情報と、仮想試着を行うか否かを顧客９０に尋ねるためのメッセージとの一例を示す図である。
【０１０４】
その後、中央制御部１１８は、仮想試着を行うか否かを判断する（ステップＳ２０８）。この場合、顧客９０が仮想試着の実行を要求した結果として、仮想試着を行うと判断したとすると（ステップＳ２０８にてＹＥＳ）、送信部１００は、仮想試着を行うサーバ５４へ次に述べる情報を送信する（ステップＳ２１０）。その情報とは、ステップＳ２０４で取得した識別情報と、顧客９０の体型情報と、顧客９０の姿を示す画像データとである。
【０１０５】
図１３は、携帯端末装置５０からサーバ５４へ情報を送信する際の、情報のフォーマットを示す図である。図１３を参照して、そのフォーマットは、ヘッダエリア２６０と、データエリア２６２とを含む。
【０１０６】
ヘッダエリア２６０は、送信元である携帯端末装置５０のＵＲＬや、宛先であるサーバ５４のＵＲＬを示すエリアである。本実施の形態の場合、サーバ５４のＵＲＬは、ＲＦＩＤタグ５２から受信したＵＲＬである。送信制御部１２００は、このＵＲＬをヘッダエリア２６０に含ませることにより、商品８０の識別情報およびユーザ画像データをこのＵＲＬを用いて送信するように送信部１００を制御することとなる。
【０１０７】
データエリア２６２は、送信の対象となる情報を示すエリアである。
データエリア２６２は、識別情報エリア２７０と、体形情報エリア２７２と、画像データファイルエリア２７４とを含む。
【０１０８】
識別情報エリア２７０は、商品８０の識別情報を示すエリアである。体形情報エリア２７２は、体形情報を示すエリアである。画像データファイルエリア２７４は、ユーザ画像データを示すエリアである。
【０１０９】
仮想試着を行うサーバ５４の検索処理部１５６は、商品画像データベース１７０が含む既製服の画像データを、ステップＳ２２０にて受信した商品８０の識別情報を基に検索する（ステップＳ２２２）。このとき検索される画像データは、ＲＦＩＤタグ５２に記憶されていたものに比べ、高解像度のものである。
【０１１０】
次に、画像処理部１５４と中央制御部１６２とは、受信した顧客９０の画像と商品の画像とを合成する（ステップＳ２２４）。この画像を示す合成画像データが仮想試着の結果を示すことととなる。
【０１１１】
さらに、検索処理部１５６は、受信した顧客９０の体型情報を基に、顧客９０に合った既製服のサイズを選択する。サイズが選択されると、検索処理部１５６は、そのサイズの商品の在庫状況を在庫情報データベース１７２から検索する（ステップＳ２２６）。
【０１１２】
次いで、送信部１５０は、顧客９０に合う既製服のサイズ、在庫情報、および合成画像データを携帯端末装置５０に送信する（ステップＳ２２８）。
【０１１３】
図１４は、サーバ５４から携帯端末装置５０へ情報を送信する際の、情報のフォーマットを示す図である。図１４を参照して、そのフォーマットは、ヘッダエリア２６０と、データエリア２６４とを含む。データエリア２６４は、送信の対象となる情報を示すエリアである。
【０１１４】
データエリア２６４は、サイズ情報エリア２７６と、在庫情報エリア２７８と、画像データファイルエリア２８０とを含む。
【０１１５】
サイズ情報エリア２７６は、ステップＳ２２６にて選択された顧客９０のサイズを示すエリアである。在庫情報エリア２７８は、ステップＳ２２６にて検索された在庫状況の情報を含む、在庫情報を示すエリアである。画像データファイルエリア２８０は、合成画像データを示すエリアである。
【０１１６】
サーバ５４から携帯端末装置５０へ情報が送信されると、携帯端末装置５０の表示部１１２は、それらの情報を表示する（ステップＳ２１４）。図１５は、表示部１１２に表示された合成画像の一例を示す図である。図１６は、表示部１１２に合成画像が表示された後にキー入力部１１４が操作されると表示される、在庫状況の表示例を示す図である。
【０１１７】
以上のようにして、本実施の形態に係る仮想試着システムは、携帯端末装置５０からサーバ５４へ商品８０の識別情報などを送信すると、サーバ５４は、合成画像などを作成したり在庫状況を検索したりした上で、それらの結果を示す情報を携帯端末装置５０に返信する。携帯端末装置５０は返信された合成画像などを表示する。図１７は、このことを示す概念図である。
【０１１８】
これにより、顧客９０は、購入を検討中の商品が自分自身に似合うか否かについておおまかな判断材料を得ることができる。その際、ＲＦＩＤタグ５２が送信した、商品８０の画像データおよびサーバ５４へアクセスするための情報を用いることができるので、識別情報すなわち商品の識別情報を顧客９０が入力する必要はない。サーバ５４へアクセスするために顧客９０が複雑な操作を実施する必要もない。それらの必要がないので、商品の識別情報の入力負荷を軽減し、入力ミスの可能性を低下させることができる。
【０１１９】
また、ＲＦＩＤタグ５２のコストは低下傾向にある。ＲＦＩＤタグ５２には数キロバイトの情報を記憶することができる。これらの要因により、バーコードでは扱えなかった多くの情報を安価に取り扱うことが可能になりつつある。そのため、低いコストで顧客９０に対して多くの情報を提供することが可能になる。
【０１２０】
また、顧客９０の体型情報および顧客９０の画像を格納する媒体として、顧客９０が所有する携帯端末装置５０を使用する。この携帯端末装置５０がＲＦＩＤ読取部１０４を含むことにより、合成画像が作成されるたびに顧客９０が体型情報を入力しなくてはならないといった事態は防止される。体型情報の入力において入力ミスが生じる可能性は大幅に低下する。
【０１２１】
また、携帯端末装置５０は顧客９０がそれぞれ所有しているものなので、仮想試着の順番待ちは生じなくなる。
【０１２２】
その上、商品８０を販売する店舗は特別な装置を設置する必要がない。
また、サーバ５４が合成画像を作成するので、ＲＦＩＤタグ５２から受信した画像データを用いる場合に比べ、合成画像の解像度は高くなる。
【０１２３】
その結果、商品の識別情報の入力や顧客の体型情報などの入力の負荷を軽減し、入力ミスの可能性を低下させ、比較的小さな店舗においても仮想試着を可能とし、かつ同時に利用できる顧客の数をなるべく多くすることができる携帯端末装置および仮想試着システムを提供することができる。
【０１２４】
なお、本実施の形態の第１の変形例において、商品８０の画像データは、ＲＦＩＤタグ５２からのデータに含まれていなくてもよい。
【０１２５】
また、本実施の形態の第２の変形例において、ステップＳ２２４では、顧客９０に適したサイズの商品の画像と顧客９０の画像とが合成画像データの作成に用いられてもよい。この場合、サイズ選択部１６２６は、顧客９０に適した商品のサイズを予め選択しておくこととなる。
【０１２６】
また、本実施の形態の第３の変形例において、在庫情報は通信されなくともよい。
また、本実施の形態の第４の変形例において、体形情報は通信されなくともよい。この場合、サーバ５４から送信される在庫情報は、顧客９０に合った商品の在庫状況を示す情報とは限らず、商品８０の在庫状況のみあるいは商品８０と同型であってサイズのみが異なる商品の在庫状況を示す（顧客９０に合っていない商品の在庫状況のみが示されていることもある）情報となる。
【０１２７】
また、本実施の形態の第５の変形例において、サーバ５４への情報送信に用いるＵＲＬは、ＲＦＩＤタグ５２から受信したＵＲＬでなくともよい。サーバ５４への情報送信に用いるＵＲＬは、顧客９０がキー入力部１１４を介して入力したＵＲＬなどであってもよい。
【０１２８】
また、本実施の形態の第６の変形例において、上述した方法以外の方法により合成画像が作成されてもよい。合成画像の作成方法は特に限定されるものではないが、合成画像データ作成部１６３２が、顧客９０の像の所定の領域と商品８０の像の所定の領域とを、それの領域に顧客９０の身体や商品８０が実際に表われているか否かに関わらず合成するなどといった方法であってもよい。この場合、部分選択部１６３０は不要である。
【０１２９】
<第２の実施の形態>
以下、本発明の第２の実施の形態に係る携帯端末装置および仮想試着システムについて説明する。
【０１３０】
本実施の形態に係る仮想試着システムは、携帯端末装置５０に代え、携帯端末装置５１を含む。
【０１３１】
図１８は、本実施の形態に係る携帯端末装置５１の構成を示す図である。図１８を参照して、携帯端末装置５１は、送信部１００と、受信部１０２と、ＲＦＩＤ読取部１０４と、撮影部１０６と、表示ドライバ１１０と、表示部１１２と、キー入力部１１４と、メモリ１１６と、画像処理部１２０と、中央制御部１２２とを含む。
【０１３２】
画像処理部１２０は、撮影部１０６が信号として出力した画像データを圧縮してメモリ１１６に記憶させるユニットである。画像処理部１２０は、撮影部１０６が出力した顧客９０の画像データとＲＦＩＤ読取部１０４が受信した商品８０の画像データとに基づいて、画像を合成するユニットでもある。
【０１３３】
中央制御部１２２は、携帯端末装置５１を構成する各ユニットを制御するユニットである。中央制御部１２２は、その制御のために必要な演算を実施するユニットでもある。
【０１３４】
本実施の形態の場合、画像処理部１２０と中央制御部１２２とは、制御ブロック１１９を構成する。図１８から明らかなように、本実施の形態の場合、制御ブロック１１９は複数のユニットによって実現されているが、１つのＣＰＵなどによって実現されてもよい。
【０１３５】
図１９は、本実施の形態にかかる制御ブロック１１９が担当する機能を示す機能ブロック図である。図１９を参照して、本実施の形態にかかる制御ブロック１１９が担当する機能は、取得部１７００と、通話制御部１７０２と、情報制御部１７０４と、ＲＦＩＤ制御部１７０６と、画像表示制御部１７０８と、在庫表示制御部１７１０とを含む。
【０１３６】
取得部１７００は、ユーザ画像データを基に、合成画像を示す合成画像データを取得する機能である。
【０１３７】
通話制御部１７０２は、携帯端末装置５１が電話機として動作するよう、送信部１００と受信部１０２とを制御する機能である。
【０１３８】
情報制御部１７０４は、携帯端末装置５１を構成する各ユニットの間での情報の伝達を制御する機能である。
【０１３９】
ＲＦＩＤ制御部１７０６は、ＲＦＩＤタグ５２から情報を受信するよう、ＲＦＩＤ読取部１０４を制御する機能である。
【０１４０】
画像表示制御部１７０８は、合成画像データに基づいて合成画像を表示するように、表示ドライバ１１０を介して間接的に表示部１１２を制御する機能である。
【０１４１】
在庫表示制御部１７１０は、在庫情報を表示するように、表示ドライバ１１０を介して間接的に表示部１１２を制御する機能である。
【０１４２】
取得部１７００は、作成部１７２０と、記憶制御部１７２２とを含む。
作成部１７２０は、ユーザ画像データと商品画像データとに基づいて、合成画像データを作成する機能である。
【０１４３】
記憶制御部１７２２は、合成画像データを記憶するようにメモリ１１６を制御する機能である。
【０１４４】
作成部１７２０は、部分選択部１７３０と、合成画像データ作成部１７３２とを含む。
部分選択部１７３０は、選択部分を選択する機能である。本実施の形態の場合、選択部分とは、顧客９０の像のうち合成画像に含まれる部分を意味する。部分選択部１７３０は、顧客９０の像におけるその身体の少なくとも一部を表わす部分の位置に基づいて、選択部分を選択する機能である。
【０１４５】
合成画像データ作成部１７３２は、合成画像データを作成する機能である。合成画像データ作成部１７３２が作成する合成画像データは、選択部分と商品の画像の一部とを含む合成画像を示す。
【０１４６】
図２０を参照して、携帯端末装置５１で実行されるプログラムは、情報の表示に関し、以下のような制御を実行する。なお、図２０に示すフローチャートの中で、前述の図７に示した処理は同じステップ番号を付してある。第１の実施の形態では画像処理部１０８が担当していた処理を画像処理部１２０が担当し、第１の実施の形態では中央制御部１１８が担当していた処理を中央制御部１２２が担当することを除けば、それらの処理も同じである。したがって、それらについての詳細な説明はここでは繰り返さない。
【０１４７】
ステップＳ３００にて、作成部１７２０として動作する画像処理部１２０と中央制御部１２２とは、合成画像を作成する。この処理は、図２１に示す処理に相当する。
【０１４８】
ステップＳ３０２にて、画像表示制御部１７０８として動作する中央制御部１２２は、表示ドライバ１１０に制御信号を出力する。制御信号が出力されると、表示ドライバ１１０は表示部１１２を制御する。この制御に応じて、表示部１１２は、メモリ１１６に記憶された合成画像データが示す画像を表示する。
【０１４９】
ステップＳ３０４にて、在庫表示制御部１７１０として動作する中央制御部１２２は、顧客９０がキー入力部１１４を操作することにより入力した、在庫情報を表示するか否かの回答を示す情報に基づき、在庫情報の取得と表示とが必要か否かを判断する。在庫情報の取得と表示とが必要と判断した場合には（ステップＳ３０４にてＹＥＳ）、処理はステップＳ３０６へと移される。もしそうでないと（ステップＳ３０４にてＮＯ）、処理は終了する。
【０１５０】
ステップＳ３０６にて、在庫表示制御部１７１０として動作する中央制御部１２２は、メモリ１１６が記憶した情報を読み出す。読み出される情報は、ステップＳ２０４にてＲＦＩＤタグ５２から取得した識別情報と、ステップＳ２００においてメモリ１１６が記憶した顧客９０の体型情報とである。情報が読み出されると、在庫表示制御部１７１０として動作する中央制御部１２２は、読み出された情報を送信部１００に出力する。送信部１００は、それらの情報を示す信号をアクセスポイント６０に送信する。それらの情報の宛先は、サーバ５４である。宛先がサーバ５４なので、それらの情報は、インターネット６２を介してサーバ５４に送信される。
【０１５１】
ステップＳ３０８にて、受信部１０２は、サーバ５４が返信した情報を信号として受信する。受信される情報は、顧客９０に適した商品のサイズを示す情報と、顧客９０に適したサイズであって商品８０と同型の商品の在庫状況を示す情報とである。受信した情報は、中央制御部１２２に出力される。在庫表示制御部１７１０として動作する中央制御部１２２は、受信部１０２が受信した情報をメモリ１１６に記憶させる。
【０１５２】
ステップＳ３１０にて、在庫表示制御部１７１０として動作する中央制御部１２２は、表示ドライバ１１０に制御信号を出力する。制御信号が出力されると、表示ドライバ１１０は表示部１１２を制御する。この制御に応じて、表示部１１２は、顧客９０に適したサイズであって商品８０と同型の商品の在庫状況を示す情報を表示する。
【０１５３】
図２１を参照して、携帯端末装置５１で実行されるプログラムは、画像の合成に関し、以下のような制御を実行する。
【０１５４】
ステップＳ３０００にて、部分選択部１７３０として動作する中央制御部１２２は、メモリ１１６に記憶された顧客９０の画像データに基づいて、次に述べる位置を検出する。その位置とは、その画像データが示す顧客９０の像における、顧客９０の身体の一部の位置である。本実施の形態の場合、部分選択部１７３０として動作する中央制御部１２２は、そのような身体の一部のうち、顧客９０の首の付け根の位置を検出する。検出される位置は一方の付け根のみでもよいが、本実施の形態の場合は相対する２箇所の付け根が検出されることとする。なお、それらの付け根だけでなく、顔の輪郭その他の一部が検出されてもよいことは言うまでもない。中央制御部１２２は、それらの位置を座標として検出する。検出方法は特に限定されるものではないが、本実施の形態の場合、特徴点を検出するための画像認識処理を実施することにより、それらの位置は検出される。
【０１５５】
ステップＳ３００２にて、部分選択部１７３０として動作する中央制御部１２２は、ステップＳ３０００にて検出された位置に基づいて選択部分を選択する。本実施の形態の場合、次に述べる部分以外の部分を中央制御部１２２は選択部分として選択する。その部分すなわち選択部分として選択されない部分とは、メモリ１１６に記憶された顧客９０の画像データが示す画像のうち中央部分である。本実施の形態の場合、この部分の形状は等脚台形であり、その大きさは予め定められている。また、この部分の上底の中点は、顧客９０の首の付け根の座標の中点に一致する。部分選択部１７３０として動作する中央制御部１２２は、選択部分とそうでない部分との境界の頂点座標を、合成画像データ作成部１７３２として動作する画像処理部１２０に出力する。
【０１５６】
ステップＳ３００４にて、合成画像データ作成部１７３２として動作する画像処理部１２０は、メモリ１１６に記憶された顧客９０の画像データをさらにメモリ１６０の別の領域に複写する。ただし、新たに複写されるデータには、部分選択部１７３０として動作する中央制御部１２２によって選択されなかった部分のデータは含まれない。画像データが複写されると、合成画像データ作成部１７３２として動作する画像処理部１２０は、ステップＳ２０４にてＲＦＩＤ読取部１０４が受信した商品の画像データに基づき、部分選択部１７３０として動作する中央制御部１２２によって選択されなかった部分のデータを作成する。この部分の画素は、ステップＳ２０４にてＲＦＩＤ読取部１０４が受信した画像データが示す画像のうち中央部分であって形状が等脚台形の部分の画素に対応する。これにより、合成画像データが作成され、かつメモリ１６０に記憶されたこととなる。
【０１５７】
図２２を参照して、サーバ５４で実行されるプログラムは、仮想試着に関し、以下のような制御を実行する。なお、図２２に示すフローチャートの中で、前述の図８に示した処理は同じステップ番号を付してある。それらの処理も同じである。したがって、それらについての詳細な説明はここでは繰り返さない。
【０１５８】
ステップＳ３２０にて、受信部１５２は、携帯端末装置５１が送信した情報を信号として受信する。受信する情報は、商品８０の識別情報と、顧客９０の体型情報とである。受信した情報は、中央制御部１６２に出力される。情報制御部１６２４として動作する中央制御部１６２は、受信部１５２が受信した情報をメモリ１６０に記憶させる。
【０１５９】
ステップＳ３２２にて、送信制御部１６２２として動作する中央制御部１６２は、メモリ１６０が記憶した情報を読み出す。読み出される情報は、ステップＳ２２６において選択された顧客９０のサイズを示す情報と、ステップＳ２２６においてメモリ１１６が記憶した在庫情報とである。情報が読み出されると、送信制御部１６２２として動作する中央制御部１６２は、読み出された情報を送信部１５０に出力する。送信部１５０は、それらの情報を示す信号を送信する。それらの情報の宛先は、携帯端末装置５１である。宛先が携帯端末装置５１なので、それらの情報は、インターネット６２およびアクセスポイント６０を介して携帯端末装置５１に送信される。
【０１６０】
以上のような構造およびフローチャートに基づく、仮想試着システムの動作について説明する。
【０１６１】
ステップＳ２０４までの処理を経て、画像処理部１２０と中央制御部１２２とは、顧客９０の画像データとＲＦＩＤタグ５２に記録されていた商品８０の画像データに基づいて、合成画像データを作成する（ステップＳ３００）。合成画像データが作成されると、表示部１１２は、合成画像を表示部１１２に表示する（ステップＳ３０２）。このときの表示例は図１５と同様であるが、第１の実施の形態の場合に比べ合成画像の解像度が低くなる。
【０１６２】
合成画像が表示されると、中央制御部１２２は、在庫情報の取得と表示とが必要か否かを判断する（ステップＳ３０４）。合成画像を見た顧客９０が在庫情報を必要とした場合（ステップＳ３０４にてＹＥＳ）、携帯端末装置５１は、在庫情報が格納されたサーバ５４へアクセスする（ステップＳ３０６）。ここでサーバ５４に送信するデータは、商品８０の識別情報と顧客９０の体型情報である。なお、第１の実施の形態の場合と同じく、サーバ５４のＵＲＬはＲＦＩＤタグ５２から受信したＵＲＬを利用するため、顧客が接続に関する何らかの設定を行う必要はない。
【０１６３】
図２３は、携帯端末装置５１からサーバ５４へ情報を送信する際の、情報のフォーマットを示す図である。図２３を参照して、そのフォーマットは、ヘッダエリア２６０と、データエリア３３０とを含む。
【０１６４】
データエリア３３０は、送信の対象となる情報を示すエリアである。
データエリア３３０は、識別情報エリア２７０と、体形情報エリア２７２と、管理情報エリア３４０とを含む。
【０１６５】
管理情報エリア３４０は、本実施の形態に係る仮想試着サービスを提供する企業が利用する情報を示すエリアである。そのような情報の内容は特に限定されるものではないが、たとえば、商品８０が展示されている店舗の所在地を示す情報が含まれる。
【０１６６】
サーバ５４側では、ステップＳ１１にて、顧客９０にあった商品のサイズを選択し、その在庫状況を検索し（ステップＳ２２６）、携帯端末装置５１に検索結果を返信する（ステップＳ３２２）。
【０１６７】
携帯端末装置５１は、在庫状況を示す情報を受信し（ステップＳ３０８）、その情報を表示部１１２に表示する（ステップＳ３１０）。このときの画面表示例は、図１６と同様になる。
【０１６８】
図２４は、サーバ５４から携帯端末装置５１へ情報を送信する際の、情報のフォーマットを示す図である。図２４を参照して、そのフォーマットは、ヘッダエリア２６０と、データエリア３３２とを含む。
【０１６９】
データエリア３３２は、送信の対象となる情報を示すエリアである。
データエリア３３２は、サイズ情報エリア２７６と、在庫情報エリア２７８と、コマーシャル情報エリア３５４とを含む。
【０１７０】
コマーシャル情報エリア３５４は、本実施の形態に係る仮想試着サービスを提供する企業から顧客９０へのコマーシャルを示すエリアである。
【０１７１】
以上のようにして、本実施の形態に係る仮想試着システムは、携帯端末装置５１からサーバ５４へ商品８０の識別情報などを送信すると、サーバ５４は、在庫状況を検索した上で、在庫情報を携帯端末装置５０に返信する。携帯端末装置５１は、自らが作成した合成画像やサーバ５４から返信された在庫情報を表示する。
【０１７２】
これにより、顧客９０は、購入を検討中の商品が自分自身に似合うか否かについておおまかな判断材料を得ることができる。その際、ＲＦＩＤタグ５２が送信した、商品８０の画像データおよびサーバ５４へアクセスするための情報を用いることができるので、識別情報すなわち商品の識別情報を顧客９０が入力する必要はない。サーバ５４へアクセスするために顧客９０が複雑な操作を実施する必要もない。それらの必要がないので、商品の識別情報の入力負荷を軽減し、入力ミスの可能性を低下させることができる。
【０１７３】
また、ＲＦＩＤタグ５２のコストは低下傾向にある。ＲＦＩＤタグ５２には数キロバイトの情報を記憶することができる。これらの要因により、バーコードでは扱えなかった多くの情報を安価に取り扱うことが可能になりつつある。そのため、低いコストで顧客９０に対して多くの情報を提供することが可能になる。
【０１７４】
また、顧客９０の体型情報および顧客９０の画像を格納する媒体として、顧客９０が所有する携帯端末装置５１を使用する。この携帯端末装置５１がＲＦＩＤ読取部１０４を含むことにより、合成画像が作成されるたびに顧客９０が体型情報を入力しなくてはならないといった事態は防止される。体型情報の入力において入力ミスが生じる可能性は大幅に低下する。
【０１７５】
また、携帯端末装置５１は顧客９０がそれぞれ所有しているものなので、仮想試着の順番待ちは生じなくなる。
【０１７６】
その上、商品８０を販売する店舗は特別な装置を設置する必要がない。
また、携帯端末装置５１は自ら合成画像を作成するので、顧客９０の画像データが通信されることはない。これにより、顧客９０の画像データを通信するための時間を節約でき、かつ顧客９０の画像データが漏洩することを防止できる。
【０１７７】
その結果、商品の識別情報の入力や顧客の体型情報などの入力の負荷を軽減し、入力ミスの可能性を低下させ、比較的小さな店舗においても仮想試着を可能とし、かつ同時に利用できる顧客の数をなるべく多くすることができる携帯端末装置および仮想試着システムを提供することができる。
【０１７８】
なお、本実施の形態の第１の変形例において、サーバ５４との通信は実施されなくともよい。この場合、在庫情報の通信は実施されないこととなる。
【０１７９】
また、本実施の形態の第２の変形例において、体形情報は通信されなくともよい。この場合、サーバ５４から送信される在庫情報は、顧客９０に合った商品の在庫状況を示す情報とは限らず、商品８０の在庫状況のみあるいは商品８０と同型であってサイズのみが異なる商品の在庫状況を示す（顧客９０に合っていない商品の在庫状況のみが示されていることもある）情報となる。
【０１８０】
また、本実施の形態の第３の変形例において、サーバ５４への情報送信に用いるＵＲＬは、ＲＦＩＤタグ５２から受信したＵＲＬでなくともよい。サーバ５４への情報送信に用いるＵＲＬは、顧客９０がキー入力部１１４を介して入力したＵＲＬなどであってもよい。
【０１８１】
また、本実施の形態の第４の変形例において、上述した方法以外の方法により合成画像が作成されてもよい。合成画像の作成方法は特に限定されるものではないが、合成画像データ作成部１７３２が、顧客９０の像の所定の領域と商品８０の像の所定の領域とを、それの領域に顧客９０の身体や商品８０が実際に表われているか否かに関わらず合成するなどといった方法であってもよい。この場合、部分選択部１７３０は不要である。
【０１８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８３】
【図１】本発明の第１の実施の形態に係る仮想試着システムの構成を示す図である。
【図２】本発明の第１の実施の形態に係る携帯端末装置の構成を示す図である。
【図３】本発明の第１の実施の形態に係る中央制御部が担当する機能を示す機能ブロック図である。
【図４】本発明の第１の実施の形態に係るＲＦＩＤタグの構成を示す図である。
【図５】本発明の第１の実施の形態に係るサーバの構成を示す図である。
【図６】本発明の第１の実施の形態に係るサーバの制御ブロックが担当する機能を示す機能ブロック図である。
【図７】本発明の第１の実施の形態に係る情報の表示処理の制御の手順を示すフローチャートである。
【図８】本発明の第１の実施の形態に係る仮想試着処理の制御の手順を示すフローチャートである。
【図９】本発明の第１の実施の形態に係る画像の合成処理の制御の手順を示すフローチャートである。
【図１０】本発明の第１の実施の形態に係る体型情報を入力する際に表示部に表示される画像の一例を示した図である。
【図１１】本発明の第１の実施の形態に係るＲＦＩＤタグが信号として送信するデータのフォーマットを示す図である。
【図１２】本発明の第１の実施の形態に係る表示部に表示された、商品に関する情報と、仮想試着を行うか否かを顧客に尋ねるためのメッセージとの一例を示す図である。
【図１３】本発明の第１の実施の形態に係る携帯端末装置からサーバへ情報を送信する際の情報のフォーマットを示す図である。
【図１４】本発明の第１の実施の形態に係るサーバから携帯端末装置へ情報を送信する際の情報のフォーマットを示す図である。
【図１５】本発明の第１の実施の形態に係る表示部に表示された合成画像の一例を示す図である。
【図１６】本発明の第１の実施の形態に係る在庫状況の表示例を示す図である。
【図１７】本発明の第１の実施の形態に係る仮想試着システムにおいて通信される情報を示す図である。
【図１８】本発明の第２の実施の形態に係る携帯端末装置の構成を示す図である。
【図１９】本発明の第２の実施の形態に係る携帯端末装置の制御ブロックが担当する機能を示す機能ブロック図である。
【図２０】本発明の第２の実施の形態に係る情報の表示処理の制御の手順を示すフローチャートである。
【図２１】本発明の第２の実施の形態に係る画像の合成処理の制御の手順を示すフローチャートである。
【図２２】本発明の第２の実施の形態に係る仮想試着処理の制御の手順を示すフローチャートである。
【図２３】本発明の第２の実施の形態に係る携帯端末装置からサーバへ情報を送信する際の情報のフォーマットを示す図である。
【図２４】本発明の第２の実施の形態に係るサーバから携帯端末装置へ情報を送信する際の情報のフォーマットを示す図である。
【符号の説明】
【０１８４】
５０，５１  携帯端末装置、５２  ＲＦＩＤタグ、５４  サーバ、６０  アクセスポイント、６２  インターネット、７０  店舗、７２  ビル、８０  商品、９０  顧客、１００，１５０  送信部、１０２，１５２  受信部、１０４  ＲＦＩＤ読取部、１０６  撮影部、１０８  画像処理部、１１０  表示ドライバ、１１２  表示部、１１４  キー入力部、１１６，１３０，１６０  メモリ、１１８，１２２，１６２  中央制御部、１１９  制御ブロック、１２０，１５４  画像処理部、１３２  制御回路、１３４  同調回路、１３６  整流回路、１３８  復調回路、１４０  変調回路、１４２  ＳＰ／ＰＳ変換回路、１５６  検索処理部、１５８  データベース記録部、１７０  商品画像データベース、１７２  在庫情報データベース、２４０  識別コードエリア、２４２  タグＩＤエリア、２４４  データエリア、２５０  商品識別情報エリア、２５２  サーバＵＲＬエリア、２５４  画像データファイルエリア、２６０  ヘッダエリア、２６２，２６４，３３０，３３２  データエリア、２７０  識別情報エリア、２７２  体形情報エリア、２７４，２８０  画像データファイルエリア、２７６  サイズ情報エリア、２７８  在庫情報エリア、３４０  管理情報エリア、３５４  コマーシャル情報エリア、１１８０，１７００  取得部、１１８２，１７０２  通話制御部、１１８４，１６２４，１７０４  情報制御部、１１８６，１７０６  ＲＦＩＤ制御部、１１８８，１７０８  画像表示制御部、１１９０，１７１０  在庫表示制御部、１２００，１６２２  送信制御部、１２０２，１７２２  記憶制御部、１６２０，１７２０  作成部、１６２６  サイズ選択部、１６２８  情報検索部、１６３０，１７３０  部分選択部、１６３２，１７３２  合成画像データ作成部。
【図１】
2008210223.tif 000003
【図２】
2008210223.tif 000004
【図３】
2008210223.tif 000005
【図４】
2008210223.tif 000006
【図５】
2008210223.tif 000007
【図６】
2008210223.tif 000008
【図７】
2008210223.tif 000009
【図８】
2008210223.tif 000010
【図９】
2008210223.tif 000011
【図１０】
2008210223.tif 000012
【図１１】
2008210223.tif 000013
【図１２】
2008210223.tif 000014
【図１３】
2008210223.tif 000015
【図１４】
2008210223.tif 000016
【図１５】
2008210223.tif 000017
【図１６】
2008210223.tif 000018
【図１７】
2008210223.tif 000019
【図１８】
2008210223.tif 000020
【図１９】
2008210223.tif 000021
【図２０】
2008210223.tif 000022
【図２１】
2008210223.tif 000023
【図２２】
2008210223.tif 000024
【図２３】
2008210223.tif 000025
【図２４】
2008210223.tif 000026